(57)【要約】【課題】誰でも手軽に温泉効果が得られる岩塩入り袋体及びそれを収容した枕、座布団、肩掛け、マットなどの健康増進商品を提供する。【解決手段】通気性を有し且つ内在する岩塩が漏出しない部材から形成された袋体１１内に岩塩１２を充填した構成を採用する。また、岩塩１２が硫黄成分を含有することを特徴とする。さらに、岩塩入り袋体１０が、枕、座布団、肩掛け、マットなどのカバー内の少なくとも使用者の身体が接触する側領域に収納されている。【選択図】図１
0003117683.tif 000002
【実用新案登録請求の範囲】
【請求項１】
通気性を有し且つ内在する岩塩が漏出しない部材から形成された袋体内に岩塩を充填した岩塩入り袋体。
【請求項２】
前記岩塩が硫黄成分を含有することを特徴とする請求項１に記載の岩塩入り袋体。
【請求項３】
前記袋体の適宜箇所を接合して当該袋体内で前記岩塩の移動又は偏りを抑制する接合部が形成されていることを特徴とする請求項１又は請求項２に記載の岩塩入り袋体。
【請求項４】
前記袋体が、枕カバー、座布団カバー、肩掛けカバー、マットカバーにより構成されていることを特徴とする請求項１乃至請求項３に記載の岩塩入り袋体。
【請求項５】
請求項１乃至請求項３に記載の岩塩入り袋体が枕カバー内の少なくとも使用者の身体が接触する側領域に収納されていることを特徴とする岩塩入り袋体を収容した枕。
【請求項６】
請求項１乃至請求項３に記載の岩塩入り袋体が座布団カバー内の少なくとも使用者の身体が接触する側領域に収納されていることを特徴とする岩塩入り袋体を収容した座布団。
【請求項７】
請求項１乃至請求項３に記載の岩塩入り袋体が肩掛けカバー内の少なくとも使用者の身体が接触する側領域に収納されていることを特徴とする岩塩入り袋体を収容した肩掛け。
【請求項８】
請求項１乃至請求項３に記載の岩塩入り袋体がマットカバー内の少なくとも使用者の身体が接触する側領域に収納されていることを特徴とする岩塩入り袋体を収容したマット。
【考案の詳細な説明】
【技術分野】
【０００１】
本考案は、岩塩入り袋体及びそれを収容した枕、座布団、肩掛け、マットなど、使用者の体温により温められて血行促進、疲労回復、肩こりや腰痛など各種疾患の症状緩和、美肌促進などの温泉効果が得られる健康増進商品に関するものである。
【背景技術】
【０００２】
岩塩は古代の初期の海洋と同じで原始且つ自然なものであるため、人間の身体を作る要素を全て含んでいるといわれている。チベットにおいては古くから処方薬に岩塩を混ぜて各種の治療に利用されてきたが、最近では岩塩が人間の心身のケアに非常に効果的である点に注目が集まり、日本においても岩塩が浴用・食用などの用途に利用されるようになってきている。
【０００３】
例えば、岩塩は血行促進、疲労回復、肩こりや腰痛など各種疾患の症状緩和、美肌促進などの温泉効果を有しており、浴用として利用した場合、アルカリ性のミネラル豊富な温泉浴を家庭などで簡単に行うことができる。また、適量の岩塩を溶かした水には、１日に身体に必要なミネラルが全て補えることから、毎日飲用を続けることで身体の浄化を行うことができる。また、岩塩を利用した岩塩ランプは、マイナスイオンを放出して疲れた身体をリフレッシュさせることができると共に空気を浄化する働きがある。
【０００４】
本願出願人は、独自の研究を重ねてヒマラヤ原産岩塩の有する成分・効能を分析し、既に一般化している浴用・食用などの用途の他に多様な日用品への利用を図ることにより、誰でも手軽に温泉効果が得られる健康増進商品の開発を行っている。
【０００５】
ところで、塩を枕、座布団などの日用品に利用した先行技術としては、以下の発明又は考案が開示されている。
【０００６】
特開２０００−２９６０４５号公報には、塩の潮解現象を防止して長期間にわたって快適な寝心地が得られる塩枕を提供することを目的とし、複数の小空間内に塩および空気を密封した「塩枕」が開示されている（特許文献１）。
【０００７】
しかし、上記「塩枕」を構成する袋体は、塩と空気を密封して外部の空気と遮断するため、外部からの湿った空気の浸入がなく塩の潮解現象が防止され、塩が湿気を帯びて固化することがないことを特徴としていると考えられるが、通気性がないため塩の有する効果が十分に得られるものではない。また、上記「塩枕」は、岩塩を使用するものではなく温泉効果が得られる健康増進商品を提供することを目的としていない。
【０００８】
実用新案登録第３０４８９５１号公報には、座布団を隅部の整形と用途に関連した構成とし、矩形の座布団の外装体の内部四隅に塩を密封した袋体を収容した「座布団」が開示されている（特許文献２）。
【０００９】
しかし、上記「座布団」は、矩形の座布団の四隅に塩を封入した袋体を収容したため四隅の形態が安定して維持することを特徴としており、岩塩を使用し温泉効果が得られる健康増進商品を提供することを目的としていない。
【００１０】
【特許文献１】特開２０００−２９６０４５号公報
【特許文献２】実用新案登録第３０４８９５１号公報
【考案の開示】
【考案が解決しようとする課題】
【００１１】
そこで、本考案は、岩塩の有する温泉効果に着目し、それを多様な日用品へ利用することにより誰でも手軽に温泉効果が得られる岩塩入り袋体及びそれを収容した枕、座布団、肩掛け、マットなどの健康増進商品を提供することを目的とする。
【課題を解決するための手段】
【００１２】
上記課題を解決するために、請求項１に記載の考案は、通気性を有し且つ内在する岩塩が漏出しない部材から形成された袋体内に岩塩を充填した構成を採用したのである。
【００１３】
また、請求項２に記載の考案は、請求項１に記載の岩塩が硫黄成分を含有することを特徴とする。
【００１４】
また、請求項３に記載の考案は、請求項１又は請求項２に記載の袋体の適宜箇所を接合して当該袋体内で前記岩塩の移動又は偏りを抑制する接合部が形成されていることを特徴とする。
【００１５】
また、請求項４に記載の考案は、請求項１乃至請求項３に記載の袋体が、枕カバー、座布団カバー、肩掛けカバー、マットカバーにより構成されていることを特徴とする。
【００１６】
さらに、請求項５に記載の考案は、請求項１乃至請求項３に記載の岩塩入り袋体が枕カバー内の少なくとも使用者の身体が接触する側領域に収納されていることを特徴とする。
【００１７】
また、請求項６に記載の考案は、請求項１乃至請求項３に記載の岩塩入り袋体が座布団カバー内の少なくとも使用者の身体が接触する側領域に収納されていることを特徴とする。
【００１８】
また、請求項７に記載の考案は、請求項１乃至請求項３に記載の岩塩入り袋体が肩掛けカバー内の少なくとも使用者の身体が接触する側領域に収納されていることを特徴とする。
【００１９】
また、請求項８に記載の考案は、請求項１乃至請求項３に記載の岩塩入り袋体がマットカバー内の少なくとも使用者の身体が接触する側領域に収納されていることを特徴とする。
【考案の効果】
【００２０】
以上のように、本考案によれば、使用者の体温により温められて血行促進、疲労回復、肩こりや腰痛など各種疾患の症状緩和、美肌促進などの温泉効果が得られる岩塩入り袋体及びそれを収容した枕、座布団、肩掛け、マットなどの健康増進商品を提供することができる。
【考案を実施するための最良の形態】
【００２１】
以下、本考案の実施の一形態について、図面を参酌しながら説明する。
【００２２】
（第１実施例）
図１は岩塩入り袋体の第１実施例を示す断面図である。
【００２３】
岩塩入り袋体１０は、袋体１１内に岩塩１２が充填されており、この袋体１１は通気性を有し且つ内在する岩塩１２が粉状になった場合でも繊維間から漏出しないような目の大きさに形成された部材から形成されている。
【００２４】
袋体１１の素材としては、天然繊維、化学繊維などが用いられ、湿分の吸収と蒸発を促進させるためには吸湿・放湿特性の高い絹、セルロース系繊維，アクリル系繊維等を用いるのが好ましい。
【００２５】
岩塩１２は、ヒマラヤ原産岩塩が用いられ、特に硫黄成分を含有する岩塩を用いるのが好ましい。この岩塩１２としては、例えば、カルーツァ（重さ：２．１６８ｇ／１ｃｍ３、硬さ：２．５Ｃｏ、主成分：Ｎａ４０．０６％、Ｃｌ５８．４３％、Ｋ０．１８％、Ｃａ０．４３％、Ｓｏ０．８３％）と呼ばれる岩塩が適している。カルーツァに関し、チベットにおける見解では、胃の消化を促す、胃や大腸の張りに有効、便通が良くなる、大腸炎及び小腸炎に有効とされている。また、この岩塩は熱性であり、菜の花の油と混ぜて体に塗ると皮膚が柔らかくなり、血液の循環も良くなるとされている。したがって、袋体１１内に充填された岩塩１２が使用者の体温により温められて血行促進、疲労回復、肩こりや腰痛など各種疾患の症状緩和、美肌促進などの温泉効果を奏することが可能となる。
【００２６】
上記袋体１１の形状としては特に限定されるものではなく、最終的に商品となった場合に、使用者に極端な違和感を与えないものであれば特に制限されるものではない。したがって、袋体１１については、使用目的に応じて枕カバー、座布団カバー、肩掛けカバー、マットカバーなどから構成することにより、岩塩入り袋体１０そのものを、枕、座布団、肩掛け、マットなどの健康増進商品として使用することもできる。
【００２７】
（第２実施例）
図２は岩塩入り袋体の第２実施例を示す断面図である。
【００２８】
岩塩入り袋体２０は、袋体２１内に岩塩２２が充填されており、上記第１実施例と同様にこの袋体２１は通気性を有し且つ内在する岩塩２２が粉状になった場合でも繊維間から漏出しないような目の大きさに形成された部材から形成されている。
【００２９】
岩塩入り袋体２０は、上記第１実施例と異なり袋体２１の適宜箇所を縫い付けて接合部２３が形成され、袋体２１内で岩塩２２の移動又は偏りが抑制されるようにしている。
【００３０】
袋体２１の素材としては、上記第１実施例と同様に天然繊維、化学繊維などが用いられ、湿分の吸収と蒸発を促進させるためには吸湿・放湿特性の高い絹、セルロース系繊維，アクリル系繊維等を用いるのが好ましい。
【００３１】
岩塩２２は、上記第１実施例と同様にヒマラヤ原産岩塩が用いられ、特に硫黄成分を含有する岩塩を用いるのが好ましい。この岩塩２２としては、例えば、カルーツァ（重さ：２．１６８ｇ／１ｃｍ３、硬さ：２．５Ｃｏ、主成分：Ｎａ４０．０６％、Ｃｌ５８．４３％、Ｋ０．１８％、Ｃａ０．４３％、Ｓｏ０．８３％）と呼ばれる岩塩が適している。カルーツァに関してのチベットにおける見解では、胃の消化を促す、胃や大腸の張りに有効、便通が良くなる、大腸炎及び小腸炎に有効とされている。また、この岩塩は熱性であり、菜の花の油と混ぜて体に塗ると皮膚が柔らかくなり、血液の循環も良くなるとされている。これにより、上記第１実施例と同様に袋体２１内に充填された岩塩２２が使用者の体温により温められて血行促進、疲労回復、肩こりや腰痛など各種疾患の症状緩和、美肌促進などの温泉効果を奏することが可能となる。
【００３２】
上記袋体２１の形状としては特に限定されるものではなく、最終的に商品となった場合に、使用者に極端な違和感を与えないものであれば特に制限されるものではない。したがって、袋体２１については、使用目的に応じて枕カバー、座布団カバー、肩掛けカバー、マットカバーなどから構成することにより、岩塩入り袋体２０そのものを、枕、座布団、肩掛け、マットなどの健康増進商品として使用することもできる。
【００３３】
図３は、カバー内に第１実施例の岩塩入り袋体を収納した状態を示す断面図である。
【００３４】
図３に示すように、カバー３０内には、上述した岩塩入り袋体１０が収納されている。カバー３０の形状としては特に限定されるものではなく、最終的に商品となった場合に、使用者に極端な違和感を与えないものであれば特に制限されるものではないため、使用目的に応じて枕カバー、座布団カバー、肩掛けカバー、マットカバーなどから構成することができる。なお、各カバーについては一般的に市販されているものを適宜使用することができる。
【００３５】
また、岩塩入り袋体１０がカバー３０内の少なくとも使用者の身体が接触する側領域に収納されていれば、袋体１１内に充填された岩塩１２が使用者の体温により温められて血行促進、疲労回復、肩こりや腰痛など各種疾患の症状緩和、美肌促進などの温泉効果が得られるため、カバー３０と袋体１１の間隙３１には、クッション材などを適宜収納することができる。
【００３６】
図４は、カバー内に第２実施例の岩塩入り袋体を収納した状態の一例を示す断面図である。
【００３７】
図４に示すように、カバー４０内には、上述した岩塩入り袋体２０が収納されている。カバー４０の形状としては特に限定されるものではなく、最終的に商品となった場合に、使用者に極端な違和感を与えないものであれば特に制限されるものではないため、使用目的に応じて枕カバー、座布団カバー、肩掛けカバー、マットカバーなどから構成することができる。なお、各カバーについては一般的に市販されているものを適宜使用することができる。
【００３８】
岩塩入り袋体２０には、袋体２１内で岩塩２２の移動又は偏りを抑制する接合部２３が形成されているため、使用しているときに岩塩２２が一部に集中することを防止する。
【００３９】
また、岩塩入り袋体２０がカバー４０内の少なくとも使用者の身体が接触する側領域に収納されていれば、袋体２１内に充填された岩塩２２が使用者の体温により温められて血行促進、疲労回復、肩こりや腰痛など各種疾患の症状緩和、美肌促進などの温泉効果が得られるため、カバー４０と袋体２１の間隙４１には、クッション材などを適宜収納することができる。
【００４０】
図５は、カバー内に第２実施例の岩塩入り袋体を収納した状態の他例を示す断面図である。
【００４１】
図５に示すように、カバー５０内には、上述した岩塩入り袋体２０が収納されている。カバー５０の形状としては特に限定されるものではなく、最終的に商品となった場合に、使用者に極端な違和感を与えないものであれば特に制限されるものではないため、使用目的に応じて枕カバー、座布団カバー、肩掛けカバー、マットカバーなどから構成することができる。なお、各カバーについては一般的に市販されているものを適宜使用することができる。
【００４２】
岩塩入り袋体２０には、袋体２１内で岩塩２２の移動又は偏りを抑制する接合部２３が形成されているため、使用しているときに岩塩２２が一部に集中することが防止できる。なお、図３に示すカバー３０内に岩塩入り袋体１０を収納した後、カバー３０と袋体１１を一体的に縫い付けることにより、図５に示す接合部２３を形成しても良い。
【００４３】
また、岩塩入り袋体２０がカバー５０内の少なくとも使用者の身体が接触する側領域に収納されていれば、袋体２１内に充填された岩塩２２が使用者の体温により温められて血行促進、疲労回復、肩こりや腰痛など各種疾患の症状緩和、美肌促進などの温泉効果が得られるため、カバー５０と袋体２１の間隙５１には、クッション材などを適宜収納することができる。
【図面の簡単な説明】
【００４４】
【図１】岩塩入り袋体の第１実施例を示す断面図である。
【図２】岩塩入り袋体の第２実施例を示す断面図である。
【図３】カバー内に第１実施例の岩塩入り袋体を収納した状態を示す断面図である。
【図４】カバー内に第２実施例の岩塩入り袋体を収納した状態の一例を示す断面図である。
【図５】カバー内に第２実施例の岩塩入り袋体を収納した状態の他例を示す断面図である。
【符号の説明】
【００４５】
１０  岩塩入り袋体
１１  袋体
１２  岩塩
２０  岩塩入り袋体
２１  袋体
２２  岩塩
２３  接合部
３０  カバー
３１  間隙
４０  カバー
４１  間隙
５０  カバー
５１  間隙
【図１】
0003117683.tif 000003
【図２】
0003117683.tif 000004
【図３】
0003117683.tif 000005
【図４】
0003117683.tif 000006
【図５】
0003117683.tif 000007